(57)【要約】【課題】ハイブリッド車両に搭載されたインバータを含むモータ駆動ユニットをより効率よく冷却する。【解決手段】ハイブリッド自動車２０は、エンジンコンパートメント２１内に配置されると共に動力を出力可能なエンジン２２と、動力を入出力可能なモータＭＧ１，ＭＧ２と動力分配機構とを含むハイブリッドトランスアクスル３０と、バッテリ５０からの電力を用いてモータＭＧ１，ＭＧ２を駆動可能なインバータユニット４５を含むパワーコントロールユニット４０とを有し、パワーコントロールユニット４０は、ラジエータグリル２４と対向すると共にインバータユニット４５の実装面が車両の前後方向と概ね直交するようにエンジンコンパートメント２１内に配置される。【選択図】図２
2010083317.tif 000002
【特許請求の範囲】
【請求項１】
エンジンコンパートメント内に配置されると共に動力を出力可能なエンジンと、動力を出力可能なモータと、該モータと電力をやり取り可能な蓄電手段と、該蓄電手段からの電力を用いて前記モータを駆動可能なインバータを含むモータ駆動ユニットとを備えたハイブリッド車両において、
前記モータ駆動ユニットは、ラジエータグリルと対向すると共に前記インバータの実装面が車両の前後方向と概ね直交するように前記エンジンコンパートメント内に配置されることを特徴とするハイブリッド車両。
【請求項２】
請求項１に記載のハイブリッド車両において、
前記モータ駆動ユニットは、前記エンジンコンパートメント内に配置された際に前記インバータよりも前記ラジエータグリル側に位置するように該インバータに並設される電子部品を含むことを特徴とするハイブリッド車両。
【請求項３】
請求項２に記載のハイブリッド車両において、
冷媒を利用して前記モータ駆動ユニットを冷却する冷却手段を更に備えることを特徴とするハイブリッド車両。
【請求項４】
請求項３に記載のハイブリッド車両において、
前記冷却手段は、前記インバータの車両前方側および車両後方側で該インバータと前記冷媒との熱交換を可能とすると共に前記電子部品の車両後方側で該電子部品と前記冷媒との熱交換を可能とする冷媒通路を含むことを特徴とするハイブリッド車両。
【請求項５】
請求項２から４の何れか一項に記載のハイブリッド車両において、
前記モータ駆動ユニットは、少なくとも前記電子部品を車両前方側から覆うと共に前記ラジエータグリルと対向するフロントカバーを含み、該フロントカバーの前記ラジエータグリル側の面には、少なくとも車両の上下方向に延びる凹部が形成されていることを特徴とする請求項１に記載のハイブリッド車両。
【請求項６】
請求項５に記載のハイブリッド車両において、
前記フロントカバーは、鋼材からなることを特徴とするハイブリッド車両。
【発明の詳細な説明】
【技術分野】
【０００１】
本発明は、それぞれ動力を出力可能なエンジンおよび電動機を備えたハイブリッド車両に関する。
【背景技術】
【０００２】
従来から、それぞれ動力を発生可能なエンジンおよび回転電機を有するハイブリッド車両として、エンジンや回転電機の近傍に配置されると共にバッテリからの電力を回転電機に供給可能なインバータと、インバータからの熱を放熱可能なインバータ用放熱部と、インバータ用放熱部を冷却する外気を取り入れ可能なインバータ用外気取入部と、インバータを冷却する外気が流通するインバータ用冷却管と、外気取入部から冷却管内に外気を強制的に取り込むファンとを備えたものが知られる（例えば、特許文献１参照）。なお、従来から、車載用空調装置として、ダッシュパネルの垂直方向に延びる壁部の前面に配置されるモジュールボックス内に収容されたエアコンユニットや、モジュールボックスの下面に取り付けられたモーターインコンプレッサー、モジュールボックスの下面に取り付けられて当該モータインコンプレッサのモータを駆動するインバータを備えたものも知られている（例えば、特許文献２参照）。
【特許文献１】特開２００８−２０６２２８号公報
【特許文献２】特開２００３−１１２５１９号公報
【発明の開示】
【発明が解決しようとする課題】
【０００３】
特許文献１に記載のハイブリッド車両のように、車体に対してインバータ用の外気取入部や冷却管、更にはファンを設けることにより、外気をインバータに導いて冷却に供することができる。しかしながら、エンジンコンパートメント等にインバータ専用の外気取入部や冷却管、ファンを設けるのは、エンジンコンパートメント内のスペース効率やコストの面で問題があり、これらの専用部品を用いたわりには、さほど冷却効果が得られないおそれもある。
【０００４】
そこで、本発明は、ハイブリッド車両に搭載されたインバータを含むモータ駆動ユニットをより効率よく冷却することを主目的とする。
【課題を解決するための手段】
【０００５】
本発明によるハイブリッド車両は、上述の主目的を達成するために以下の手段を採っている。
【０００６】
本発明によるハイブリッド車両は、
エンジンコンパートメント内に配置されると共に動力を出力可能なエンジンと、動力を出力可能なモータと、該モータと電力をやり取り可能な蓄電手段と、該蓄電手段からの電力を用いて前記モータを駆動可能なインバータを含むモータ駆動ユニットとを備えたハイブリッド車両において、
前記モータ駆動ユニットは、ラジエータグリルと対向すると共に前記インバータの実装面が車両の前後方向と概ね直交するように前記エンジンコンパートメント内に配置されることを特徴とする。
【０００７】
このハイブリッド車両のように、ラジエータグリルと対向すると共にインバータの実装面が車両の前後方向と概ね直交するようにモータ駆動ユニットをエンジンコンパートメント内に配置すれば、ラジエータグリルを介してエンジンコンパートメント内に流入する走行風をモータ駆動ユニットに良好に当てることができるので、当該モータ駆動ユニットをより効率よく冷却することが可能となる。
【０００８】
更に、前記モータ駆動ユニットは、前記エンジンコンパートメント内に配置された際に前記インバータよりも前記ラジエータグリル側に位置するように該インバータに並設される電子部品を含むものであってもよい。この場合、電子部品は、例えば蓄電手段からの電圧を昇圧してインバータに供給可能な昇圧コンバータであってもよい。
【０００９】
また、前記ハイブリッド車両は、冷媒を利用して前記モータ駆動ユニットを冷却する冷却手段を更に備えてもよい。このように、ラジエータグリルを介してエンジンコンパートメント内に流入する走行風と冷却手段の冷媒とを併用しながらモータ駆動ユニットを冷却すれば、冷却手段の負担を抑えつつ、モータ駆動ユニットをより効率よく冷却することが可能となる。また、モータ駆動ユニットがインバータに対してラジエータグリル側に位置するように並設される電子部品を含むものである場合には、ラジエータグリルを介してエンジンコンパートメント内に流入する走行風により当該電子部品を冷却できるので、冷却手段の電子部品に対する冷却負担を抑えることが可能となる。
【００１０】
更に、前記冷却手段は、前記インバータの車両前方側および車両後方側で該インバータと前記冷媒との熱交換を可能とすると共に前記電子部品の車両後方側で該電子部品と前記冷媒との熱交換を可能とする冷媒通路を含むものであってもよい。これにより、冷却手段の冷媒によりインバータを車両前方側および後方側の双方で冷却すると共に、冷却手段の冷媒により車両後方側で、またラジエータグリルからの走行風により車両前方側で電子部品を冷却することが可能となり、ラジエータグリルからの走行風と冷却手段の冷媒とを併用しながらモータ駆動ユニットをより効率よく冷却することができる。
【００１１】
また、前記モータ駆動ユニットは、少なくとも前記電子部品を車両前方側から覆うと共に前記ラジエータグリルと対向するフロントカバーを含んでもよく、該フロントカバーの前記ラジエータグリル側の面には、少なくとも車両の上下方向に延びる凹部が形成されてもよい。このハイブリッド車両のように、ラジエータグリルを介してエンジンコンパートメントに流入する走行風を利用してモータ駆動ユニットを冷却する場合、エンジンコンパートメント内の温度状態や走行風の温度等によっては、特にラジエータグリルの近傍に位置するフロントカバー付近で結露が発生する可能性があるが、このように、フロントカバーのラジエータグリル側の面に少なくとも車両の上下方向に延びる凹部を形成しておけば、当該凹部によりカバー付近で液化した水分を車両下方へと導くことができる。これにより、エンジンコンパートメント内で発生した水分がカバー内部に入り込むことを抑制して部品保護を良好に図ることが可能となる。
【００１２】
そして、前記フロントカバーは、鋼材からなるものであってもよい。このように高い強度および弾性を有する鋼材でフロントカバーを形成することにより、車両前方からの衝撃が加わったとしてもフロントカバー内の部品すなわちモータ駆動ユニットを良好に保護することが可能となる。
【発明を実施するための最良の形態】
【００１３】
次に、本発明を実施するための最良の形態を実施例を用いて説明する。
【実施例】
【００１４】
図１は、本発明の一実施例に係るハイブリッド車両としてのハイブリッド自動車２０を示す斜視図である。同図に示すハイブリッド自動車２０は、動力を出力可能なエンジン２２と、それぞれ動力を入出力可能な２体のモータＭＧ１およびＭＧ２と動力分配機構とからなるハイブリッドトランスアクスル３０と、モータＭＧ１およびＭＧ２を駆動するためのパワーコントロールユニット４０と、パワーコントロールユニット４０を介してモータＭＧ１およびＭＧ２と電力をやり取り可能なバッテリ５０とを備える。
【００１５】
エンジン２２は、ガソリンや軽油といった炭化水素系の燃料の供給を受けて動力を出力する内燃機関であり、車体の前部に画成されたエンジンコンパートメント２１内に搭載される。そして、エンジン２２は、図示しないエンジン用電子制御ユニットによる燃料噴射量や点火時期、吸入空気量等の制御を受ける。
【００１６】
ハイブリッドトランスアクスル３０を構成するモータＭＧ１およびＭＧ２は、何れも発電機として作動すると共に電動機として作動することができる周知の同期発電電動機である。また、ハイブリッドトランスアクスル３０を構成する動力分配機構は、エンジン２２の出力軸であるクランクシャフトと、主として発電機として機能するモータＭＧ１の回転軸と、駆動輪（実施例では前輪）に動力を伝達する駆動軸とに接続される。実施例では、動力分配機構として、キャリアにエンジン２２のクランクシャフトが、サンギヤにモータＭＧ１の回転軸が、リングギヤに駆動軸がそれぞれ接続されるシングルピニオン式の遊星歯車機構が採用されている。そして、リングギヤに接続された駆動軸には、図示しない減速ギヤ機構または変速機を介してモータＭＧ２の回転軸が接続される。
【００１７】
パワーコントロールユニット４０は、バッテリ５０側からの直流電力を交流電力に変換してモータＭＧ１に印加したり、モータＭＧ１からの交流電力を直流電力に変換してバッテリ５０側に供給したりする第１のインバータや、バッテリ５０側からの直流電力を交流電力に変換してモータＭＧ２に印加したり、モータＭＧ２からの交流電力を直流電力に変換してバッテリ５０側に供給したりする第２のインバータ、バッテリ５０からの電力を昇圧して第１および第２のインバータに供給すると共に第１および第２のインバータからの電力を降圧してバッテリ５０に供給することができる昇圧コンバータ、コンデンサ、バッテリ５０からの電力を降圧して補機用バッテリや他の補機類に供給可能なＤＣ／ＤＣコンバータ、電力制御用のＩＰＭ（インテリジェントパワーマネージメント）モジュール、第１および第２のインバータ等を介してモータＭＧ１およびＭＧ２を制御するモータ用電子制御ユニット等を含む。
【００１８】
バッテリ５０は、図１に示すように、例えば後部座席の下方といった所定箇所に搭載されると共に、車体側部に沿うように敷設されるパワーケーブル５２を介してパワーコントロールユニット４０と接続される。実施例のバッテリ５０は、ニッケル水素二次電池あるいはリチウムイオン二次電池として構成されており、図示しないバッテリ用電子制御ユニットによって管理される。
【００１９】
更に、実施例のハイブリッド自動車２０は、車両全体をコントロールする図示しないハイブリッド用電子制御ユニットを備えている。このハイブリッド用電子制御ユニットは、上述のエンジン用電子制御ユニットやモータ用電子制御ユニット、バッテリ用電子制御ユニット等と通信により各種情報をやり取りしており、運転者により操作されるアクセルペダルの踏み込み量やブレーキペダルの操作量と各電子制御ユニットからの情報とに基づいてハイブリッド自動車２０の走行を制御する。すなわち、ハイブリッド用電子制御ユニットは、ハイブリッド自動車２０の走行に際して、基本的には、運転者のアクセルペダルの踏み込み量に対応するアクセル開度と車速とに基づいて駆動軸に出力すべき要求トルクを計算すると共に、この要求トルクに基づくトルクが駆動軸に出力されるようにエンジン２２の目標回転数や目標トルク、モータＭＧ１およびＭＧ２の目標トルクを設定する。また、ハイブリッド用電子制御ユニットは、適宜、エンジン２２を自動的に停止・始動させる間欠運転を実行したり、モータＭＧ２にのみ要求トルクに見合うトルクを駆動軸に出力させるモータ走行を実行したりする。
【００２０】
図２は、エンジンコンパートメント２１における主要機器の配置状態を示す模式図である。同図に示すように、エンジン２２は、エンジンコンパートメント２１にクランクシャフトの軸方向が車幅方向に一致するように横置きに搭載される。また、ハイブリッドトランスアクスル３０は、エンジン２２に接続されると共にモータＭＧ１およびＭＧ２ならびに動力分配機構の軸方向が車幅方向に一致するように横置きに配置される。更に、パワーコントロールユニット４０も、エンジン２２やハイブリッドトランスアクスル３０と共にエンジンコンパートメント２１内に搭載される。実施例において、パワーコントロールユニット４０は、図２に示すように、エンジンコンパートメント２１の前部に形成されたラジエータグリル２４からの走行風が当たるように、当該ラジエータグリル２４やその背後に配置されたラジエータ２５と対向するようにハイブリッドトランスアクスル３０の近傍に設置される。
【００２１】
ここで、パワーコントロールユニット４０は、図２および図３に示すように、コンデンサケース４１とインバータケース４２とフロントカバー４３とを含む。コンデンサケース４１とインバータケース４２とは、パワーコントロールユニット４０の耐加振性を向上させるべくアルミダイキャストにより鋳造されたアルミニウム合金等からなる筐体である。コンデンサケース４１の内部には、コンデンサ４４が収容され、コンデンサケース４１の車両後方側には、ＤＣ／ＤＣコンバータ４８が取り付けられる。また、インバータケース４２の内部には、モータＭＧ１用の第１のインバータとモータＭＧ２用の第２のインバータと含むインバータユニット４５が収容される。実施例において、インバータユニット４５は、パワーコントロールユニット４０の車載時に第１および第２のインバータの基板表面（実装面）が車両前後方向と概ね直交するように（縦置き状態となるように）インバータケース４２の内部に配置される。更に、インバータユニット４５の車両前方側には、リアクトル等を含む昇圧コンバータ４６が並設される。昇圧コンバータ４６も、パワーコントロールユニット４０の車載時に、その基板表面（実装面）が車両前後方向と概ね直交するように（縦置き状態となるように）配置される。
【００２２】
なお、実施例のインバータケース４２の上部には、図４に示すように、ヒューズの交換に伴ってパワーコントロールユニット４０の所定箇所から取り外されたヒューズボックス４９を位置決めするための位置決め係合部４２ｘが形成されている。この位置決め係合部４２ｘにヒューズボックス４９の底面に形成された図示しない係合部を係合させることにより、ヒューズボックス４９をインバータケース４２に位置決め（固定）することが可能となる。これにより、ヒューズボックス４９を別途作業台へ持ち運ぶことなく、比較的慎重な取り扱いが要求されるヒューズ交換をパワーコントロールユニット４０周辺で実行することが可能となるので、ハイブリッド自動車２０のメインテナンス性を向上させることができる。
【００２３】
また、フロントカバー４３は、車両前方から衝撃に対する強度を確保すべく鉄板等の鋼材を例えばプレス成形することにより製造されるものであり、パワーコントロールユニット４０の車載時にインバータケース４２よりも車両前側でラジエータグリル２４と対向すると共に昇圧コンバータ４６を覆うように複数のボルトを用いてインバータケース４２に対して締結（固定）される。また、フロントカバー４３の表面には、プレス加工により、パワーコントロールユニット４０の車載時に車両上下方向および車幅方向に延びるように凹部４３ａが形成されている（図４参照）。そして、フロントカバー４３の内部には、昇圧コンバータ４６と共に、モータ用電子制御ユニットやＩＰＭモジュール等が実装された基板４７が収容される。これにより、電子部品としての昇圧コンバータ４６および基板４７は、パワーコントロールユニット４０の車載時にインバータユニット４５よりもラジエータグリル２４側に位置する状態で車両前方側からフロントカバー４３により覆われることになる。なお、実施例において、基板４７も、その実装面がパワーコントロールユニット４０の車載時に車両前後方向と概ね直交するように（縦置き状態となるように）フロントカバー４３の内部に収容される。また、基板４７は、必ずしもフロントカバー４３内に収容される必要はなく、インバータケース４２の内部や、インバータケース４２よりも車両後方側に搭載されてもよい。
【００２４】
そして、実施例のハイブリッドトランスアクスル３０とパワーコントロールユニット４０とに対しては、ＬＬＣ（ロングライフクーラント）といった冷媒（液体）を用いて両者を冷却可能なハイブリッド冷却系統６０が設けられている。ハイブリッド冷却系統６０は、モータＭＧ１およびＭＧ２や動力分配機構の周囲を囲むようにハイブリッドトランスアクスル３０のケースに形成された冷媒通路（ウォータジャケット）へと冷媒を圧送する冷媒ポンプ６１や図示しないフィラータンク等を含み、ハイブリッドトランスアクスル３０のモータＭＧ１，ＭＧ２等と熱交換した冷媒はラジエータ２５で放熱させられる。そして、ラジエータ２５で放熱した冷媒は、ＤＣ／ＤＣコンバータ４８の冷却に供された後、インバータケース４２に形成された冷媒通路４２ａへと導かれる。実施例の冷媒通路４２ａは、図３に示すように、インバータユニット４５の車両前方側および車両後方側で当該インバータユニット４５と冷媒との熱交換を可能とすると共に、昇圧コンバータ４６の車両後方側で当該昇圧コンバータ４６と冷媒との熱交換を可能とするようにインバータケース４２に形成されている。冷媒通路４２ａを通過した冷媒は、図示しないフィラータンクを介して冷媒ポンプ６１の吸入口へと導かれる。
【００２５】
以上説明したように、実施例のハイブリッド自動車２０では、ラジエータグリル２４と対向すると共にインバータユニット４５の実装面が車両前後方向と概ね直交するようにパワーコントロールユニット４０がエンジンコンパートメント２１内に配置される。これにより、ラジエータグリル２４を介してエンジンコンパートメント２１内に流入する走行風をパワーコントロールユニット４０に良好に当てることができるので、当該パワーコントロールユニット４０をより効率よく冷却することが可能となる。また、実施例のハイブリッド自動車２０は、冷媒を利用してパワーコントロールユニット４０を冷却するハイブリッド冷却系統６０を備えており、ラジエータグリル２４を介してエンジンコンパートメント２１内に流入する走行風とハイブリッド冷却系統６０の冷媒とを併用しながらパワーコントロールユニット４０を冷却することで、ハイブリッド冷却系統６０の負担を抑えつつ、パワーコントロールユニット４０をより効率よく冷却することが可能となる。
【００２６】
更に、実施例のハイブリッド自動車２０のパワーコントロールユニット４０は、エンジンコンパートメント２１内に配置された際にインバータユニット４５よりもラジエータグリル２４側に位置するようにインバータユニット４５に並設される電子部品としての昇圧コンバータ４６や基板４７を含む。従って、ラジエータグリル２４を介してエンジンコンパートメント２１内に流入する走行風により昇圧コンバータ４６（特にリアクトル等）や基板４７を冷却可能となり、ハイブリッド冷却系統６０の昇圧コンバータ４６等に対する冷却負担を抑えることができる。また、ハイブリッド冷却系統６０は、インバータユニット４５の車両前方側および車両後方側で当該インバータユニット４５と冷媒との熱交換を可能とすると共に昇圧コンバータ４６の車両後方側で当該昇圧コンバータ４６と冷媒との熱交換を可能とする冷媒通路４２ａを含むものである。これにより、ハイブリッド冷却系統６０の冷媒によりインバータユニット４５を車両前方側および後方側の双方で冷却すると共に、ハイブリッド冷却系統６０の冷媒により車両後方側で、またラジエータグリル２４からの走行風により車両前方側で昇圧コンバータ４６を冷却することができる。この結果、ラジエータグリル２４からの走行風とハイブリッド冷却系統６０の冷媒とを併用しながらパワーコントロールユニット４０をより効率よく冷却することが可能となる。
【００２７】
そして、パワーコントロールユニット４０は、昇圧コンバータ４６や基板４７といった電子部品を車両前方側から覆うと共にラジエータグリル２４と対向するフロントカバー４３を含んでおり、フロントカバー４３のラジエータグリル２４側の面には、車両上下方向および車幅方向に延びる凹部４３ａが形成されている。これにより、ラジエータグリル２４の近傍に位置するフロントカバー４３付近で結露が発生したとしても、凹部４３ａによりカバー付近で液化した水分を車両下方へと導くことができる。従って、実施例のハイブリッド自動車２０では、エンジンコンパートメント２１内で発生した水分がフロントカバー４３の内部に入り込むことを抑制して部品保護を良好に図ることが可能となる。また、高い強度および弾性を有する鋼材でフロントカバー４３を形成することにより、車両前方からの衝撃が加わったとしても、アルミ材からなるカバー（ケース）を用いた場合に比べてフロントカバー４３が割れてしまうおそれを低減することができるので、フロントカバー４３内の昇圧コンバータ４６や基板４７すなわちパワーコントロールユニット４０を良好に保護することができる。更に、鋼材からなるフロントカバー４３に上述の凹部４３ａを形成することにより、フロントカバー４３の強度をより高めることも可能となる。
【００２８】
なお、上記ハイブリッド自動車２０は、モータＭＧ２の動力を減速ギヤ機構や変速機を介して駆動輪（前輪）に連結された駆動軸に伝達するものであるが、本発明の適用対象は、これに限られるものではない。すなわち、本発明は、モータＭＧ２の動力を上記駆動軸とは異なる車軸（実施例では、後輪に連結された車軸）に出力するものに適用されてもよい。
【００２９】
ここで、上記実施例および変形例の主要な要素と課題を解決するための手段の欄に記載した発明の主要な要素との対応関係について説明しておく。すなわち、上記実施例および変形例では、エンジンコンパートメント２１内に配置されると共に動力を出力可能なエンジン２２が「エンジン」に相当し、ハイブリッドトランスアクスル３０を構成するモータＭＧ１およびＭＧ２の少なくとも何れか一方が「電動機」に相当し、モータＭＧ１およびＭＧ２と電力をやり取り可能なバッテリ５０が「蓄電手段」に相当し、ラジエータグリル２４と対向すると共にインバータユニット４５の実装面が車両の前後方向と概ね直交するようにエンジンコンパートメント２１内に配置されるパワーコントロールユニット４０が「モータ駆動ユニット」に相当する。また、パワーコントロールユニット４０に含まれてインバータユニット４５よりもラジエータグリル２４側に位置するようにエンジンコンパートメント２１内に配置される昇圧コンバータ４６や基板４７が「電子部品」に相当し、ＬＬＣ等の冷媒を利用してパワーコントロールユニット４０を冷却するハイブリッド冷却系統６０が「冷却手段」に相当し、インバータユニット４５の車両前方側および車両後方側で当該インバータユニット４５と冷媒との熱交換を可能とすると共に昇圧コンバータ４６の車両後方側で当該昇圧コンバータ４６と冷媒との熱交換を可能とするようにインバータケース４２に形成された冷媒通路４２ａが「冷媒通路」に相当し、少なくとも昇圧コンバータ４６を車両前方側から覆うと共にラジエータグリル２４と対向し、ラジエータグリル２４側の面に車両上下方向に延びる凹部４３ａが形成された鋼材からなるフロントカバー４３が「フロントカバー」に相当する。
【００３０】
ただし、「内燃機関」は、ガソリンや軽油といった炭化水素系の燃料の供給を受けて動力を出力するエンジン２２に限られず、水素エンジンといったような他の如何なる形式のものであっても構わない。「電動機」は、モータＭＧ１，ＭＧ２のような同期発電電動機に限られず、誘導電動機といったような他の如何なる形式のものであっても構わない。「蓄電手段」は、バッテリ５０のような二次電池に限られず、キャパシタといったような他の如何なる形式のものであっても構わない。「モータ駆動ユニット」は、蓄電手段からの電力を用いてモータを駆動可能なインバータを含むものであれば、どのような形式のものであっても構わない。「冷却手段」は、冷媒を利用してモータ駆動ユニットを冷却可能なものであれば、どのような形式のものであっても構わない。何れにしても、これら実施例および変形例の主要な要素と課題を解決するための手段の欄に記載した発明の主要な要素との対応関係は、実施例が課題を解決するための手段の欄に記載した発明を実施するための最良の形態を具体的に説明するための一例であることから、課題を解決するための手段の欄に記載した発明の要素を限定するものではない。すなわち、実施例はあくまで課題を解決するための手段の欄に記載した発明の具体的な一例に過ぎず、課題を解決するための手段の欄に記載した発明の解釈は、その欄の記載に基づいて行なわれるべきものである。
【００３１】
以上、実施例を用いて本発明の実施の形態について説明したが、本発明は上記実施例に何ら限定されるものではなく、本発明の要旨を逸脱しない範囲内において、様々な変更をなし得ることはいうまでもない。
【産業上の利用可能性】
【００３２】
本発明は、ハイブリッド車両の製造産業等において利用可能である。
【図面の簡単な説明】
【００３３】
【図１】本発明の一実施例に係るハイブリッド車両としてのハイブリッド自動車２０を示す斜視図である。
【図２】エンジンコンパートメント２１における主要機器の配置状態を示す模式図である。
【図３】実施例のパワーコントロールユニット４０を示す模式図である。
【図４】実施例のパワーコントロールユニット４０を示す斜視図である。
【符号の説明】
【００３４】
２０  ハイブリッド自動車、２１  エンジンコンパートメント、２２  エンジン、２４  ラジエータグリル、２５  ラジエータ、３０  ハイブリッドトランスアクスル、４０  パワーコントロールユニット、４１  コンデンサケース、４２  インバータケース、４２ａ  冷媒通路、４２ｘ  位置決め係合部、４３  フロントカバー、４３ａ  凹部、４４  コンデンサ、４５  インバータユニット、４６  昇圧コンバータ、４７  基板、４８  ＤＣ／ＤＣコンバータ、４９  ヒューズボックス、５０  バッテリ、５２  パワーケーブル、６０  ハイブリッド冷却系統、６１  冷媒ポンプ、ＭＧ１，ＭＧ２  モータ。
【図１】
2010083317.tif 000003
【図２】
2010083317.tif 000004
【図３】
2010083317.tif 000005
【図４】
2010083317.tif 000006